【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
張力を与える手段と、
少なくとも１つの第１の縦方向ストラップその他の補強部材を含む、第１のレッグ部分と、
少なくとも１つの第２の縦方向ストラップその他の補強部材を含む、第２のレッグ部分と、
を含み、
前記第１の縦方向ストラップその他の補強部材は、着用者の第１の腰部領域から前記着用者の第１の大腿外側領域まで延び、前記張力を与える手段に接続されており、
前記第２の縦方向ストラップその他の補強部材は、前記着用者の第２の腰部領域から前記着用者の第２の大腿外側領域まで延び、前記張力を与える手段に接続されており、
前記第１の縦方向ストラップその他の補強部材及び前記第２の縦方向ストラップその他の補強部材はそれぞれ、前記ウェットスーツの前記第１のレッグ部分のパネル及び前記第２のレッグ部分のパネルよりも剛性が高く、そして、ネオプレンから作製されることを特徴とするウェットスーツ。
【請求項２】
前記張力を与える手段は、背面ファスナーを含み、
着用者の腸骨稜の位置又はその上方で張力を与えることを特徴とする、請求項１記載のウェットスーツ。
【請求項３】
前記張力を与える手段は、ウエストストラップを含み、
着用者の腸骨稜の位置又はその上方で張力を与えることを特徴とする請求項１又は２に記載のウェットスーツ。
【請求項４】
前記ウエストストラップと、前記第１及び第２の縦方向ストラップその他の補強部材とは、いずれも、前記ウエストストラップと前記第１及び第２の縦方向ストラップその他の補強部材とに隣接する前記ウェットスーツの前面ボディパネル、クロッチパネル、臀部パネル及び大腿パネルよりも剛性が高いことを特徴とする、請求項３記載のウェットスーツ。
【請求項５】
前記ウエストストラップと、前記第１及び第２の縦方向ストラップその他の補強部材とは、いずれも、前記ウエストストラップと、前記第１及び第２の縦方向ストラップその他の補強部材とに隣接する前記ウェットスーツの前面ボディパネル、クロッチパネル、臀部パネル及び大腿パネルよりも弾性係数が１０〜４０％大きいことを特徴とする請求項４記載のウェットスーツ。
【請求項６】
前記ウェットスーツの前面ボディパネル、クロッチパネル、臀部パネル及び大腿パネルは、いずれもネオプレンから作製され、そして、
前記ウエストストラップと、前記第１及び第２の縦方向ストラップその他の補強部材とは、いずれも前記ウェットスーツの前面ボディパネル、クロッチパネル、臀部パネル及び大腿パネルよりもさらに剛性が高いネオプレンから作製されることを特徴とする請求項４又は５に記載のウェットスーツ。
【請求項７】
前記ウエストストラップと、前記第１及び第２の縦方向ストラップその他の補強部材とは、いずれも石油ベースのネオプレンから作製され、そして、
前記ウェットスーツの前面ボディパネル、クロッチパネル、臀部パネル及び大腿パネルは、いずれも石灰岩ベースのネオプレンから作製されることを特徴とする、請求項６記載のウェットスーツ。
【請求項８】
前記ウエストストラップは、上向きに、前記ウェットスーツの前記クロッチパネルから延び、前記着用者の両側及び後方の周りを囲むことを特徴とする請求項４乃至７のいずれか一項に記載のウェットスーツ。
【手続補正２】
【補正対象書類名】明細書
【補正対象項目名】全文
【補正方法】変更
【補正の内容】
【発明の詳細な説明】
【発明の名称】水着
【技術分野】
【０００１】
本発明の実施形態は水着に関する。それら実施形態は、詳細には、泳者のパフォーマンスを改善するための水着に関する。
【背景技術】
【０００２】
泳者は摩擦抵抗、圧力抵抗、及び造波抵抗を受ける。摩擦抵抗は、泳者の身体が周囲の水分子に対して絶え間なく衝突し擦れることによるものである。
【０００３】
圧力抵抗は泳者が速度を上げるにつれて強くなる。例えば泳者の頭部の周りに水がたまると、泳者の身体の前方領域の圧力が上昇し、泳者の身体の２つの端部間に圧力差が生み出される。
【０００４】
競泳の速度では、泳者はさらに、水泳中の泳者が作り出す波によって発生する造波抵抗による妨害を受ける。
【発明の概要】
【課題を解決するための手段】
【０００５】
必ずしも全てとは限らないが様々な本発明の実施形態によれば：着用者の腸骨稜の位置又はその上方で張力を与える手段と；少なくとも１つの第１の縦方向ストラップすなわち補強部材を含む、第１のレッグ部分であって、少なくとも１つの第１の縦方向ストラップすなわち補強部材は、着用者の第１の腰部領域から着用者の第１の大腿外側領域まで延び、張力を与える手段に接続される、第１のレッグ部分と；少なくとも１つの第２の縦方向ストラップすなわち補強部材を含む、第２のレッグ部分であって、少なくとも１つの第２の縦方向ストラップすなわち補強部材は、着用者の第２の腰部領域から着用者の第２の大腿外側領域まで延び、張力を与える手段に接続される、第２のレッグ部分と；を備える、水着が提供される。
【０００６】
必ずしも全てとは限らないが様々な本発明の実施形態によれば：第１の縦方向ストラップと、第２の縦方向ストラップと、第１のグリッパーストラップと、第２のグリッパーストラップと、ウエストストラップ及び引きひものうちの少なくとも一方とを備える、ボディハーネスを備え；第１の縦方向ストラップは、着用者の第１の腰部領域から着用者の第１の大腿外側領域まで延びるように配置され；第２の縦方向ストラップは、着用者の第２の腰部領域から着用者の第２の大腿外側領域まで延びるように配置され；ウエストストラップ及び／又は引きひもは、着用者のウエストの周りを少なくとも部分的に延び、第１の縦方向ストラップ及び第２の縦方向ストラップに接続される；水着が提供される。
【０００７】
ボディハーネスはさらに、第１のグリッパーストラップ及び第２のグリッパーストラップを備えることができる。第１のグリッパーストラップは、着用者の膝の上方かつそれに隣接する位置で着用者の第１の脚を把持するように配置することができ、第１の縦方向ストラップに接続することができる。第２のグリッパーストラップは、着用者の膝の上方かつそれに隣接する位置で着用者の第２の脚を把持するように配置することができ、第２の縦方向ストラップに接続することができる。
【０００８】
ウエストストラップは、着用者のウエストの周りで少なくとも部分的に延びることができ、第１の縦方向ストラップ及び第２の縦方向ストラップに接続することができる。
【０００９】
第１の縦方向ストラップは、ウエストストラップに直接的に連結することができる。第２の縦方向ストラップは、ウエストストラップに直接的に連結することができる。
【００１０】
下側ボディハーネス（下半身ハーネス）はさらに、ウエストストラップに接続するように配置される、着用者のクロッチ領域から延びる、１つ又は複数のさらなるストラップを備える。１つ又は複数のさらなるストラップは、第１の縦方向ストラップに直接的に連結されるストラップを含むことができる。１つ又は複数のさらなるストラップは、第２の縦方向ストラップに直接的に連結されるストラップを含むことができる。１つ又は複数のさらなるストラップは、ウエストストラップに直接的に連結されるストラップを含むことができる。
【００１１】
下側ボディハーネスはさらに、着用者のクロッチ領域から着用者の内側脚領域に沿って延びるように配置される少なくとも１つの内側レッグストラップを備える。少なくとも１つの内側レッグストラップは、着用者の第１の脚の内側脚領域に沿って及び着用者の第２の脚の内側脚領域に沿って延びることができる。
【００１２】
下側ボディハーネスはさらに、少なくとも１つの内側レッグストラップを第１の縦方向ストラップに接続するように配置される横方向大腿ストラップを備えることができる。下側ボディハーネスはさらに、少なくとも１つの内側レッグストラップを第２の縦方向ストラップに接続するように配置されるさらなる横方向大腿ストラップを備えることができる。
【００１３】
水着はさらにシェルを備えることができる。第１のストラップは、シェルにおいて着用者の第１の脚の第１の腰部領域から着用者の第１の大腿外側領域まで延びる第１のシームを実質的に覆うように配置することができる。
【００１４】
第２のストラップは、シェルにおいて着用者の第２の脚の第２の腰部領域から着用者の第２の大腿外側領域まで延びる第２のシームを実質的に覆うように配置することができる。
【００１５】
第１の縦方向ストラップ及び第２の縦方向ストラップのそれぞれの弾性係数は、１００Ｎ／ｍから３０００Ｎ／ｍの範囲にあってよい。第１の縦方向ストラップ及び第２の縦方向ストラップのそれぞれの弾性係数は、少なくとも３００Ｎ／ｍでよい。
【００１６】
水着はジャマーとすることもでき、ジャマーを含むこともできる。あるいは、水着は、スイムスキンとすることもでき、スイムスキンを含むこともできる。あるいは、水着は、トライアスリート用のウェットスーツなど、ウェットスーツとすることもでき、ウェットスーツを含むこともできる。
【００１７】
必ずしも全てとは限らないが様々な本発明の実施形態によれば、第１の縦方向ストラップ、第２の縦方向ストラップ、少なくとも１つの内側レッグストラップ、第１の横方向大腿ストラップ、第２の横方向大腿ストラップ、ならびにウエストストラップ及び引きひものうちの少なくとも一方を備える、下側ボディハーネスを備え；第１の縦方向ストラップは、着用者の第１の腰部領域から着用者の第１の大腿外側領域まで延びるように配置され；第２の縦方向ストラップは、着用者の第２の腰部領域から着用者の第２の大腿外側領域まで延びるように配置され；ウエストストラップ及び／又は引きひもは、着用者のウエストの周りを少なくとも部分的に延び、第１の縦方向ストラップ及び第２の縦方向ストラップに接続され；少なくとも１つの内側レッグストラップは、着用者のクロッチ領域から着用者の第１の脚の内側脚領域及び着用者の第２の脚の内側脚領域に沿って延びるように配置され；第１の横方向大腿ストラップは、少なくとも１つの内側レッグストラップを第１の縦方向ストラップに接続するように配置され；第２の横方向大腿ストラップは、少なくとも１つの内側レッグストラップを第２の縦方向ストラップに接続するように配置される、水着が提供される。
【００１８】
必ずしも全てとは限らないが様々な本発明の実施形態によれば、着用者の第１の腰部領域から着用者の第１の大腿外側領域まで延びるように配置される、第１のシームと；少なくとも１００Ｎ／ｍの弾性係数を有し、第１のシーム上にかつそれに沿って位置し、着用者の第１の腰部領域から着用者の第１の大腿外側領域まで延びるように配置される、第１の縦方向ストラップと；着用者の第２の腰部領域から着用者の第２の大腿外側領域まで延びるように配置される、第２のシームと；少なくとも１００Ｎ／ｍの弾性係数を有し、第２のシーム上にかつそれに沿って位置し、着用者の第２の腰部領域から着用者の第２の大腿外側領域まで延びるように配置される、第２の縦方向ストラップと；着用者のウエストの周りを少なくとも部分的に延びるように配置され第１の縦方向ストラップ及び第２の縦方向ストラップに接続される、ウエストストラップ及び引きひものうちの少なくとも一方と；着用者の膝の上方かつそれに隣接する位置で着用者の第１の脚を把持するように配置され、第１の縦方向ストラップに接続される、第１のグリッパーストラップと；着用者の膝の上方かつそれに隣接する位置で着用者の第２の脚を把持するように配置され、第２の縦方向ストラップに接続される、第２のグリッパーストラップと；を備える、水着が提供される。
【００１９】
第１の縦方向ストラップ及び第２の縦方向ストラップのそれぞれの弾性係数は、１００Ｎ／ｍから３０００Ｎ／ｍの範囲とすることができる。第１の縦方向ストラップ及び第２の縦方向ストラップのそれぞれの弾性係数は、少なくとも３００Ｎ／ｍとすることができる。
【００２０】
必ずしも全てとは限らないが様々な本発明の実施形態によれば：着用者の腸骨稜の位置又はその上方で張力を与える手段と；着用者の膝の上方かつそれに隣接する位置で張力を与えるように配置される、着用者の腸骨稜の位置又はその上方で張力を与える手段に接続される１つ又は複数の縦方向ストラップを含む、第１及び第２のレッグ部分と；を備える、水着が提供される。
【００２１】
必ずしも全てとは限らないが様々な本発明の実施形態によれば：着用者の腸骨稜の位置又はその上方で張力を与える手段と；着用者の第１の腰部領域から着用者の第１の大腿外側領域まで延びるように配置される第１の補強部材を備える、第１のレッグ部分と；着用者の第２の腰部領域から着用者の第１の大腿外側領域まで延びるように配置される第２の補強部材を備える、第２のレッグ部分と；を備え、第１の補強部材及び第２の補強部材はそれぞれ、着用者の腸骨稜の位置又はその上方で張力を与える手段に接続される、ウェットスーツが提供される。
【００２２】
着用者の腸骨稜の位置又はその上方で張力を与える手段は、ウエストストラップ及びジッパーのうちの少なくとも一方を備えることができる。
【００２３】
必ずしも全てとは限らないが様々な本発明の実施形態によれば、添付の図に示し本明細書に記載するような水着が提供される。
【００２４】
必ずしも全てとは限らないが様々な本発明の実施形態によれば、添付の請求項において特許請求されるような実施例が提供される。
【００２５】
詳細な説明を理解するために有用な様々な実施例をより良く理解するために、以下において添付の図面を単なる例示として参照する。
【図面の簡単な説明】
【００２６】
【図１】図１Ａは、ジャマーのシェルの外面の正面図を示す。  図１Ｂは、ジャマーのシェルの外面の背面図を示す。  図１Ｃは、ジャマーのシェルのサイドパネルの外面を示す。
【図２】図２Ａは、ジャマーのシェルの内面の正面図を示す。  図２Ｂは、ジャマーのシェルの内面の背面図を示す。  図２Ｃは、ジャマーのシェルのサイドパネルの内面を示す。
【図３】図３Ａは、シェル及び下側ボディハーネスを含む、ジャマーの内面の正面図を示す。  図３Ｂは、ジャマーの内面の背面図を示す。  図３Ｃは、ジャマーのサイドパネルの内面を示す。
【図４】図４Ａは、ジャマーの外面の正面図を示す。  図４Ｂは、ジャマーの外面の背面図を示す。  図４Ｃは、ジャマーのサイドパネルの外面を示す。
【図５】図５Ａは、第１のスイムスキンのシェルの外面の正面図を示す。  図５Ｂは、第１のスイムスキンのシェルの外面の背面図を示す。  図５Ｃは、第１のスイムスキンのシェルのサイドパネルの外面を示す。
【図６】図６Ａは、第１のスイムスキンのシェルの内面の正面図を示す。  図６Ｂは、第１のスイムスキンのシェルの内面の背面図を示す。  図６Ｃは、第１のスイムスキンのシェルのサイドパネルの内面を示す。
【図７】図７Ａは、シェル及び下側ボディハーネスを含む、第１のスイムスキンの内面の正面図を示す。  図７Ｂは、第１のスイムスキンの内面の背面図を示す。  図７Ｃは、第１のスイムスキンのサイドパネルの内面を示す。
【図８】図８Ａは、第１のスイムスキンの外面の正面図を示す。  図８Ｂは、第１のスイムスキンの外面の背面図を示す。  図８Ｃは、第１のスイムスキンのサイドパネルの外面を示す。
【図９】図９Ａは、第２のスイムスキンのシェルの外面の正面図を示す。  図９Ｂは、第２のスイムスキンのシェルの外面の背面図を示す。  図９Ｃは、第２のスイムスキンのサイドパネルの外面を示す。
【図１０】図１０Ａは、第２のスイムスキンのシェルの内面の正面図を示す。  図１０Ｂは、第２のスイムスキンのシェルの内面の背面図を示す。  図１０Ｃは、第２のスイムスキンのシェルのサイドパネルの内面を示す。
【図１１】図１１Ａは、シェル及び下側ボディハーネスを含む、第２のスイムスキンの内面の正面図を示す。  図１１Ｂは、第２のスイムスキンの内面の背面図を示す。  図１１Ｃは、第２のスイムスキンのサイドパネルの内面を示す。
【図１２】図１２Ａは、第２のスイムスキンの外面の正面図を示す。  図１２Ｂは、第２のスイムスキンの外面の背面図を示す。  図１２Ｃは、第２のスイムスキンのサイドパネルの外面を示す。
【図１３Ａ】ウェットスーツの外面の正面図を示す。
【図１３Ｂ】ウェットスーツの外面の背面図を示す。
【図１３Ｃ】ウェットスーツの外面の側面図を示す。
【発明を実施するための形態】
【００２７】
図１Ａ及び図１Ｂは、水着のシェル８０の外面の正面図及び背面図を示す。この例では、シェル８０は水及び空気を透過する材料から作製される。この例では、水着は水泳用ジャマーである。ジャマーのシェル８０は、図示の例では複数のパネル３４、３６、３８、４４、４６、４８、５０、５２及び５４から形成される。シェル８０は、第１のサイドパネル３４、クロッチパネル３６、第２のサイドパネル３８、第１の上側大腿前面パネル４０、第２の上側大腿前面パネル４２、第１の下側大腿前面パネル４４、第２の下側大腿前面パネル４６、第１の上側後面パネル４８、第２の上側後面パネル５０、第１の下側後面パネル５２、及び第２の下側後面パネル５４を含む。
【００２８】
ジャマーは、ウエストバンド／ウエストストラップ／補強部材４が着用者のへその位置又はその下方かつ着用者の大骨盤の腸骨稜の上方に位置決めされるように着用されるように配置される。様々な添付の図に示すようにウエストストラップ４の上方に引きひも２を設けることができる。
【００２９】
一部の実施形態では、ウエストストラップ４の内側に及び／又は引きひも２に隣接するように、シリコーンから作製されるグリッパーストラップを位置決めすることができる。
【００３０】
本明細書で使用される用語「シーム（ｓｅａｍ）」は材料の２つの部分間／パネル間の境界に関すると解釈される。
【００３１】
シェル８０には第１の縦方向シーム６が存在し、その第１の縦方向シーム６は、ジャマーの着用者の第１の腰部領域１００１から着用者の第１の大腿外側領域１００２まで延びるように配置される。第１の縦方向シーム６が第１のサイドパネル３４と、クロッチパネル３６、第１の上側大腿前面パネル４０、及び第１の下側大腿前面パネル４４のそれぞれとの間に境界を設けることを図１Ａから理解することができる。この例では、第１の縦方向シーム６は、着用者の前面において、ジャマーのウエストストラップ４からジャマーの第１のレッグ部分の下端３１まで延びる。
【００３２】
第２の縦方向シーム８が、着用者の第２の腰部領域１００３から着用者の第２の大腿外側領域１００４まで延びるように配置される。第２の縦方向シーム８は、第２のサイドパネル３８と、クロッチパネル３６、第２の上側大腿前面パネル４２、及び第２の下側大腿前面パネル４６のそれぞれとの間に境界を設ける。図示の例では、第２の縦方向シーム８は、着用者の前面において、ジャマーのウエストストラップ４からジャマーの第２のレッグ部分の下端３２まで延びる。
【００３３】
第１のクロッチシーム１４が、上向きに、着用者の前面においてシェル８０のクロッチ領域１００５から第１の縦方向シーム６まで延びる。第１のクロッチシーム１４はクロッチパネル３６と第１の上側大腿前面パネル４０との間に境界を設ける。第２のクロッチシーム１６が、上向きに、着用者の前面においてジャマーのクロッチ領域１００５から第２の縦方向シーム８まで延びる。第２のクロッチシーム１６はクロッチパネル３６と第２の上側大腿前面パネル４２との間に境界を設ける。
【００３４】
第１の内側レッグシーム２０が、第１の上側大腿前面パネル４０と第１の上側後面パネル４８との間、及び第１の下側大腿前面パネル４４と第１の下側後面パネル５２との間に境界を設ける。第２の内側レッグシーム２１が、クロッチパネル３６と、第１の上側後面パネル４８及び第２の上側後面パネル５０のそれぞれとの間に境界を設ける。第３の内側レッグシーム２２が、第２の上側大腿前面パネル４２と第２の上側後面パネル５０との間、及び第２の下側大腿前面パネル４６と第２の下側後面パネル５４との間に境界を設ける。
【００３５】
第１の横方向大腿シーム２４が、ジャマーの着用者の大腿前面を横向きに横切るように延びるように配置される。第１の横方向大腿シーム２４は、着用者の第１の大腿外側領域１００２において、第１の縦方向シーム６から、着用者の第１の内側脚領域１００６まで延びる。第１の横方向大腿シーム２４は第１の上側大腿前面パネル４０と第１の下側大腿前面パネル４４との間に境界を設ける。第１の横方向大腿シーム２４は、第１の下側大腿前面パネル４４が第１の上側大腿前面パネル４０よりも小さくなるように位置決めされる。
【００３６】
第２の横方向大腿シーム２６が、ジャマーの着用者の大腿前面を横向きに横切るように延びるように配置される。第２の横方向大腿シーム２６は、第２の縦方向シーム８から、着用者の第２の大腿外側領域１００４において、着用者の大腿前面を横切って、着用者の第２の内側脚領域１００７まで延びる。第２の横方向大腿シーム２６は、第２の上側大腿前面パネル４２と第２の下側大腿前面パネル４６との間に境界を設ける。第２の横方向大腿シーム２６は、第２の下側大腿前面パネル４６が第２の上側大腿前面パネル４２よりも小さくなるように位置決めされる。
【００３７】
臀部シーム１８が、着用者のクロッチ領域１００５から、上向きに、着用者の臀部領域１００８を通って、ウエストストラップ４まで延びる。臀部シーム１８は、第１の上側後面パネル４８と第２の上側後面パネル５０との間に境界を設ける。
【００３８】
第３の縦方向シーム１０が、着用者の第１の腰部領域１００１から着用者の第１の大腿外側領域１００２まで延びるように配置される。第３の縦方向シーム１０は、第１のサイドパネル３４と、第１の上側後面パネル４８及び第１の下側後面パネル５２のそれぞれとの間に境界を設ける。第３の縦方向シーム１０は、ウエストストラップ４から延び、着用者の後面において、ジャマーの第１のレッグ部分の下端３１まで延びる。
【００３９】
第４の縦方向シーム１２が、着用者の第２の腰部領域１００３から着用者の第２の大腿外側領域１００４まで延びるように配置される。第４の縦方向シーム１２は、第２のサイドパネル３８と、第２の上側後面パネル５０及び第２の下側後面パネル５４のそれぞれとの間に境界を設ける。第４の縦方向シーム１２は、ウエストストラップ４から延び、着用者の後面において、ジャマーの第２のレッグ部分の下端３２まで延びる。
【００４０】
第１、第２、第３、及び第４の縦方向シーム６、８、１０、１２は、この例では、各サイドパネル３４、３６の上側部分の幅が中間部分よりも上部及び底部の方が大きくなるように形状が湾曲する。図１Ｃは第１のサイドパネル３４の形状を示す。第２のサイドパネル３８は第１のサイドパネル３４と同じ形状を有する。
【００４１】
第３の横方向大腿シーム２８が、ジャマーの着用者の大腿後面を横向きに横切って延びるように配置される。第３の横方向大腿シーム２８は、着用者の第１の大腿外側領域１００２において、第３の縦方向シーム１０から、着用者の第１の内側脚領域１００６まで延びる。第３の横方向大腿シーム２８は、第１の上側後面パネル４８と第１の下側後面パネル５２との間に境界を設ける。第３の横方向大腿シーム２８は、第１の下側後面パネル５２が第１の上側後面パネル４８よりも小さくなるように位置決めされる。
【００４２】
第４の横方向大腿シーム３０が、ジャマーの着用者の大腿後面を横向きに横切って延びるように配置される。第４の横方向大腿シーム３０は、着用者の第２の大腿外側領域１００４において、第４の縦方向シーム１２から、着用者の第２の内側脚領域１００７まで延びる。第４の横方向大腿シーム３０は、第２の上側後面パネル５０と第２の下側後面パネル５４との間に境界を設ける。第４の横方向大腿シーム３０は、第２の下側後面パネル５４が第２の上側後面パネル５０よりも小さくなるように位置決めされる。
【００４３】
図２Ａ及び図２Ｂは、ジャマーのシェル８０の内面の正面図及び背面図を示す。図２Ａ及び図２Ｂでは、シェル８０は、内面を見せるために裏返しにした。図２Ｃは第１のサイドパネル３４の内面を示す。
【００４４】
ジャマーのシェル８０の内側に第１のヘム５８を形成するように、第１のサイドパネル３４、第１の下側大腿前面パネル４４、及び第１の下側後面パネル５２のそれぞれの下端が上向きに折り返されたことを、図２Ａ、図２Ｂ及び図２Ｃから理解することができる。第２のサイドパネル３８、第２の下側大腿前面パネル４６、及び第２の下側後面パネル５４はそれぞれ、ジャマーのシェル８０の内側に第２のヘム５６を形成するように上向きに折り返されている。
【００４５】
第１及び第２のグリッパーストラップ６０ａ、６０ｂは、第１及び第２のヘム５８、５６上に位置し、それらは着用者の脚をその周囲に沿って把持するように構成される。この例では、第１及び第２のグリッパーストラップ６０ａ、６０ｂは、大腿部の周りで各膝に隣接しそのすぐ上方の位置で着用者の脚を把持するように配置される。グリッパーストラップ６０ａ、６０ｂは、例えば、シリコーンから作製することができる。
【００４６】
ジャマーは、図１Ａから図２Ｃに示すシェル８０も、下側ボディハーネス５も備える。図３Ａ及び図３Ｂは、シェル８０及び下側ボディハーネス５を含む、ジャマー１００の内面（すなわち、その裏返しの構成にあるジャマー１００）の正面図及び背面図をそれぞれ示す。図３Ｃはジャマー１００のサイドパネル３４の内面を示す。
【００４７】
下側ボディハーネス５は、複数のストラップ１０６、１０８、１１０、１１２、１１４、１１６，１１８、１２０、１２４、１２６、１２８、１３０、２０６、２０８、２１０、２１２を備える。それらストラップ１０６、１０８、１１０、１１２、１１４，１１６，１１８，１２０、１２４、１２６、１２８、１３０、２０６、２０８、２１０、２１２は、
ｉ）シェル８０の隣接するパネル同士を様々なシームの位置で接合し、それらシームを保護し、
ｉｉ）水泳中の着用者の横断面を締めつけるために着用者の動きを制御する
という技術的な機能を実行する。
【００４８】
下側ボディハーネス５の機能性は以下でさらに詳細に説明する。
【００４９】
この例では、ハーネス５のストラップ１０６、１０８、１１０、１１２、１２０、１２４、１２６、１２８、１３０、２０６、２０８、２１０、２１２は、隣接する各パネルにストラップを縫合、溶着、及び／又は接着することによって、シェル８０の隣接するパネル３４、３６、３８、４０、４２、４４、４６、４８、５０、５２、５４を互いに接合する。
【００５０】
第１の縦方向ストラップ１０６が、ジャマー１００のシェル８０の内側表面上で第１の縦方向シーム６の経路をたどるように、第１の縦方向シーム６上にかつそれに沿って位置する。この点について、第１の縦方向ストラップ１０６は、着用者の前面において、着用者の第１の腰部領域（ｈｉｐ  ｒｅｇｉｏｎ）１００１から着用者の第１の大腿外側領域１００２まで延びる。第１の縦方向ストラップ１０６は、クロッチパネル３６、第１の上側大腿前面パネル４０、及び第１の下側大腿前面パネル４４のそれぞれに、第１のサイドパネル３４を連結する。
【００５１】
第２の縦方向ストラップ１０８が、ジャマー１００のシェル８０の内側表面上で第２の縦方向シーム８の経路をたどるように、第２の縦方向シーム８上にかつそれに沿って位置する。この点について、第２の縦方向ストラップ１０８は、着用者の前面において、着用者の第２の腰部領域１００３から着用者の第２の大腿外側領域１００４まで延びる。第２の縦方向ストラップ１０８は、クロッチパネル３６、第２の上側大腿前面パネル４２、及び第２の下側大腿前面パネル４６のそれぞれに、第２のサイドパネル３８を連結する。
【００５２】
第１の縦方向ストラップ１０６及び第２の縦方向ストラップ１０８は、この例では、ウエストストラップ４に、例えば、それらを互いに縫合、溶着、及び／又は接着することによって、直接的に連結される。
【００５３】
第１のクロッチストラップ１１４が、着用者の前面において、ジャマー１００のシェル８０の内側表面上で第１のクロッチシーム１４の経路をたどるように、第１のクロッチシーム１４上にかつそれに沿って位置する。第１のクロッチストラップ１１４はクロッチパネル３６と第１の上側大腿前面パネル４０とを連結する。
【００５４】
第１のクロッチストラップ１１４は、第１の縦方向ストラップ１０６に、例えば、それらを互いに縫合、溶着、及び／又は接着することによって、直接的に連結される。第１のクロッチストラップ１４は、第１のクロッチストラップ１１４及びウエストストラップ４がそれぞれ有する、第１の縦方向ストラップ１０６との連結を介して、ジャマー１００のウエストストラップ４に接続される。
【００５５】
第２のクロッチストラップ１１６が、着用者の前面において、ジャマー１００のシェル８０の内側表面上で第２のクロッチシーム１６の経路をたどるように、第２のクロッチシーム１６上にかつそれに沿って位置する。第２のクロッチストラップ１１６はクロッチパネル３６を第２の上側大腿前面パネル４２に連結する。
【００５６】
第２のクロッチストラップ１１６は、第２の縦方向ストラップ１０８に、例えば、それらを互いに縫合、溶着、及び／又は接着することによって、直接的に連結される。第２のクロッチストラップ１１６は、第２のクロッチストラップ１１６及びウエストストラップ４がそれぞれ有する、第２の縦方向ストラップ１０８との連結を介して、ジャマー１００のウエストストラップ４に接続される。
【００５７】
少なくとも１つの内側レッグストラップ１２０が、第１、第２、及び第３の内側レッグシーム２０、２１、２２上にかつそれに沿って位置する。図示の例では、単一の内側レッグストラップ１２０が、ジャマー１００のシェル８０の内側表面上で第１、第２、及び第３の内側レッグシーム２０、２１、２２上にかつそれに沿って位置する。内側レッグストラップ１２０は、第１及び第２の上側後面パネル４８、５０のそれぞれをクロッチパネル３６に連結し、第１の上側大腿前面パネル４０を第１の上側後面パネル４８に連結し、第１の下側大腿前面パネル４４を第１の下側後面パネル５２に連結し、第２の上側大腿前面パネル４２を第２の上側後面パネル５０に連結し、第２の下側大腿前面パネル４６を第２の下側後面パネル５４に連結する。
【００５８】
内側レッグストラップ１２０は、第１のクロッチストラップ１１４、第２のクロッチストラップ１１６、臀部ストラップ１１８、第１の横方向大腿ストラップ１２４、第２の横方向大腿ストラップ１２６、第３の横方向大腿ストラップ１２８、第４の横方向大腿ストラップ１３０、第１のヘム５８、及び第２のヘム５６のそれぞれに直接的に連結される。連結はそれぞれ、例えば、縫合、溶着、及び／又は接着することによるものでよい。
【００５９】
臀部ストラップ１１８は、着用者の後面において、ジャマー１００のシェル８０の内側表面上で臀部シーム１８の経路をたどるように、臀部シーム１８上にかつそれに沿って位置する。臀部ストラップ１１８は第１の上側後面パネル４８と第２の上側後面パネル５０とを連結する。
【００６０】
臀部ストラップ１１８は、ウエストストラップ４に直接的に連結され、第１及び第２の内側脚領域１００６、１００７の内側レッグストラップ１２０に直接的に連結される。臀部ストラップ１１８は、ウエストストラップ４及び内側レッグストラップ１２０に、例えば、それらを互いに縫合、溶着、及び／又は接着することによって、連結することができる。
【００６１】
第１の横方向大腿ストラップ１２４は、着用者の前面において、ジャマー１００のシェル８０の内側表面上で第１の横方向大腿シーム２４の経路をたどるように、第１の横方向大腿シーム２４上にかつそれに沿って位置する。第１の横方向大腿ストラップ１２４は第１の上側大腿前面パネル４０と第１の下側大腿前面パネル４４とを連結する。
【００６２】
第１の横方向大腿ストラップ１２４は、第１の大腿外側領域１００２において第１の縦方向ストラップ１０６に直接的に連結される。第１の横方向大腿ストラップ１２４は、第１の内側脚領域１００６において内側レッグストラップ１２０に直接的に連結される。第１の横方向大腿ストラップ１２４は、第１の縦方向ストラップ１０６及び内側レッグストラップ１２０に、例えば、それらを互いに縫合、溶着、及び／又は接着することによって、連結することができる。
【００６３】
第２の横方向大腿ストラップ１２６は、着用者の前面において、ジャマー１００のシェル８０の内側表面上で第２の横方向大腿シーム２６の経路をたどるように、第２の横方向大腿シーム２６上にかつそれに沿って位置する。第２の横方向大腿ストラップ１２６は第２の上側大腿前面パネル４２と第２の下側大腿前面パネル４６とを連結する。
【００６４】
第２の横方向大腿ストラップ１２６は、第２の大腿外側領域１００４において第２の縦方向ストラップ１０８に直接的に連結される。第２の横方向大腿ストラップ１２６は、第２の内側脚領域１００７において内側レッグストラップ１２０に直接的に連結される。第２の横方向大腿ストラップ１２６は、第２の縦方向ストラップ１０８及び内側レッグストラップ１２０に、例えば、それらを互いに縫合、溶着、及び／又は接着することによって、連結することができる。
【００６５】
第３の縦方向ストラップ１１０が、ジャマー１００のシェル８０の内側表面上で第３の縦方向シーム１０の経路をたどるように、第３の縦方向シーム１０上にかつそれに沿って位置する。この点について、第３の縦方向ストラップ１１０は、着用者の後面において、着用者の第１の腰部領域１００１から着用者の第１の大腿外側領域１００２まで延びる。第３の縦方向ストラップ１１０は、第１の上側後面パネル４８及び第１の下側後面パネル５２のそれぞれを第１のサイドパネル３４に連結する。
【００６６】
第４の縦方向ストラップ１１２は、ジャマーのシェル８０の内側表面上で第４の縦方向シーム１２の経路をたどるように、第４の縦方向シーム１２上にかつそれに沿って位置する。この点について、第４の縦方向ストラップ１１２は、着用者の後面において、着用者の第２の腰部領域１００３から着用者の第２の大腿外側領域１００４まで延びる。第４の縦方向ストラップ１１２は、第２の上側後面パネル５０及び第２の下側後面パネル５４のそれぞれを第２のサイドパネル３８に連結する。
【００６７】
第３の横方向大腿ストラップ１２８は、着用者の後面において、ジャマー１００のシェル８０の内側表面上で第３の横方向大腿シーム２８の経路をたどるように、第３の横方向大腿シーム２８上にかつそれに沿って位置する。第３の横方向大腿ストラップ１２８は第１の上側後面パネル４８と第１の下側後面パネル５２とを連結する。
【００６８】
第３の横方向大腿ストラップ１２８は、第１の大腿外側領域１００２において第３の縦方向ストラップ１１０に直接的に連結される。第３の横方向大腿ストラップ１２８は、第１の内側脚領域１００６において内側レッグストラップ１２０に直接的に連結される。第３の横方向大腿ストラップ１２８は、第３の縦方向ストラップ１１０及び内側レッグストラップ１２０に、例えば、それらを互いに縫合、溶着、及び／又は接着することによって、連結することができる。
【００６９】
第４の横方向大腿ストラップ１３０は、着用者の後面において、ジャマー１００のシェル８０の内側表面上で第４の横方向大腿シーム３０の経路をたどるように、第４の横方向大腿シーム３０上にかつそれに沿って位置する。第４の横方向大腿ストラップ１３０は第２の上側後面パネル５０と第２の下側後面パネル５４とを連結する。
【００７０】
第４の横方向大腿ストラップ１３０は、第２の大腿外側領域１００４において第４の縦方向ストラップ１１２に直接的に連結される。第４の横方向大腿ストラップ１３０は、第２の内側脚領域１００７において内側レッグストラップ１２０に直接的に連結される。第４の横方向大腿ストラップ１３０は、第４の縦方向ストラップ１１２及び内側レッグストラップ１２０に、例えば、それらを互いに縫合、溶着、及び／又は接着することによって、連結することができる。
【００７１】
図４Ａ及び図４Ｂは、シェル８０及び下側ボディハーネス５を含む、ジャマー１００の外面の正面図及び背面図をそれぞれ示す。図４Ｃは、ジャマー１００のサイドパネル３４の外面を示す。
【００７２】
第５の縦方向ストラップ２０６が、ジャマー１００のシェル８０の外面上で第１の縦方向シーム６の経路をたどるように、第１の縦方向シーム６上にかつそれに沿って位置する。この点について、第５の縦方向ストラップ２０６は、着用者の第１の腰部領域１００１から着用者の第１の大腿外側領域１００２まで延びる。第５の縦方向ストラップ２０６は、クロッチパネル３６、第１の上側大腿前面パネル４０、及び第１の下側大腿前面パネル４４のそれぞれに第１のサイドパネル３４を連結する。
【００７３】
したがって、第１及び第５の縦方向ストラップ１０６、２０６は、第１の縦方向シーム６において、ジャマー１００のシェル８０によって隔てられる。一部の実装形態では、第１及び第５の縦方向ストラップ１０６、２０６は、例えば、縫合することによって、シェル８０を介して互いに取り付けることができる。
【００７４】
第６の縦方向ストラップ２０８が、ジャマー１００のシェル８０の外面上で第２の縦方向シーム８の経路をたどるように、第２の縦方向シーム８上にかつそれに沿って位置する。この点について、第６の縦方向ストラップ２０８は、着用者の第２の腰部領域１００３から着用者の第２の大腿外側領域１００４まで延びる。第６の縦方向ストラップ２０８は、クロッチパネル３６、第２の上側大腿前面パネル４２、及び第２の下側大腿前面パネル４６のそれぞれを第２のサイドパネル３８に連結する。
【００７５】
したがって、第２及び第６の縦方向ストラップ１０８、２０８は、第２の縦方向シーム８において、ジャマー１００のシェル８０によって隔てられる。一部の実装形態では、第２及び第６の縦方向ストラップ１０８、２０８は、例えば、縫合することによって、シェル８０を介して互いに取り付けることができる。
【００７６】
第７の縦方向ストラップ２１０が、ジャマー１００のシェル８０の外面上で第３の縦方向シーム１０の経路をたどるように、第３の縦方向シーム１０上にかつそれに沿って位置する。この点について、第７の縦方向ストラップ２１０は、着用者の第１の腰部領域１００１から着用者の第１の大腿外側領域１００２まで延びる。第７の縦方向ストラップ２１０は、第１の上側後面パネル４８及び第１の下側後面パネル５２のそれぞれを第１のサイドパネル３４に連結する。
【００７７】
したがって、第３及び第７の縦方向ストラップ１１０、２１０は、第３の縦方向シーム１０において、ジャマー１００のシェル８０によって隔てられる。一部の実装形態では、第３及び第７の縦方向ストラップ１１０、２１０は、例えば、縫合することによって、シェル８０を介して互いに取り付けることができる。
【００７８】
第８の縦方向ストラップ２１２が、ジャマー１００のシェル８０の外面上で第４の縦方向シーム１２の経路をたどるように、第４の縦方向シーム１２上にかつそれに沿って位置する。この点について、第８の縦方向ストラップ２１２は、着用者の第２の腰部領域１００３から着用者の第２の大腿外側領域１００４まで延びる。第８の縦方向ストラップ２１２は、第２の上側後面パネル５０及び第２の下側後面パネル５４のそれぞれを第２のサイドパネル３８に連結する。
【００７９】
したがって、第４及び第８の縦方向ストラップ１１２、２１２は、第４の縦方向シーム１２において、ジャマー１００のシェル８０によって隔てられる。一部の実装形態では、第４及び第８の縦方向ストラップ１１２、２１２は、例えば、縫合することによって、シェル８０を介して互いに取り付けることができる。
【００８０】
第５、第６、第７、及び第８の縦方向ストラップ２０６、２０８、２１０、２１２は、この例では、ウエストストラップ４に、例えば、それらを互いに縫合、溶着、及び／又は接着することによって、直接的に連結される。
【００８１】
第１のグリッパーストラップ６０ａは、第１、第３、第５、及び第７の縦方向ストラップ１０６、１１０、２０６、２１０ならびに内側レッグストラップ１２０のうちの１つ又は複数に接続される。一部の例では、第１、第３、第５、及び第７の縦方向ストラップ１０６、１１０、２０６、２１０ならびに内側レッグストラップ１２０のうちの１つ又は複数に、第１のグリッパーストラップ６０ａを直接的に取り付けることによって（例えば、縫合することによって）接続が行われる。あるいは、接続は、専ら、ヘム５８と、第１のサイドパネル３４、第１の下側大腿前面パネル４４、及び／又は第１の下側後面パネル５２との間の相互連結によって設けることができる。
【００８２】
第２のグリッパーストラップ６０ｂは、第２、第４、第６、及び第８の縦方向ストラップ１０８、１１２、２０８、２１２ならびに内側レッグストラップ１２０のうちの１つ又は複数に接続される。一部の例では、第２、第４、第６、及び第８の縦方向ストラップ１０８、１１２、２０８、２１２、ならびに内側レッグストラップ１２０のうちの１つ又は複数に第２のグリッパーストラップ６０ｂを直接的に取り付けることによって（例えば、縫合することによって）接続が行われる。あるいは、接続は、専ら、ヘム５６と、第２のサイドパネル３８、第２の下側大腿前面パネル４６、及び／又は第２の下側後面パネル５４との間の相互連結によって設けることができる。
【００８３】
上述のように、ジャマー１００のウエストバンド／ウエストストラップ４は、着用者の大骨盤の腸骨稜の位置又はその上方に位置するように、着用者のへその位置に位置決めされるように配置される。
【００８４】
ウエストストラップ４は、着用されると、着用者の大骨盤の腸骨稜の位置又はその上方で、ジャマー１００に張力を与えるように配置される。第１、第３、第５、及び第７の縦方向ストラップ１０６、１１０、２０６、２１０、第１の横方向大腿ストラップ１２４、第１のヘム５８の周りのグリッパーストラップ６０ａ、ならびに第３の横方向大腿ストラップ１２８の配置は、着用者の第１の膝のすぐ上方で、具体的には、第１の下側大腿前面パネル４４及び第１の下側後面パネル５２で、ジャマー１００に張力を与えるように配置される。
【００８５】
第２、第４、第６、及び第８の縦方向ストラップ１０８、１１２、２０８、２１２、第２の横方向大腿ストラップ１２６、第２のヘム５６の周りのグリッパーストラップ６０ｂ、ならびに第４の横方向大腿ストラップ１３０の配置は、着用者の第２の膝のすぐ上方で、具体的には、第２の下側大腿前面パネル４６及び第２の下側後面パネル５４で、ジャマー１００に張力を与えるように配置される。
【００８６】
着用者の膝のすぐ上方及びウエストの位置におけるジャマー１００の張力がかかる部分は、第１、第２、第３、第４、第５、第６、第７、及び第８の縦方向ストラップ１０６、１０８、１１０、１１２、２０６、２０８、２１０、２１２で、ならびに（１つ又は複数の）内側レッグストラップ１２０、臀部ストラップ１１８、及びクロッチストラップ１１４、１１６で、互いに連結される。これらストラップ１０６、１０８、１１０、１１２、１１４、１１６、１１８、１２０、２０６，２０８，２１０、２１２の張力は、股関節を通る矢状軸を中心にした、股関節（２つの寛骨臼大腿骨関節）における着用者の脚の内旋に対抗して作用するモーメントを供給する。
【００８７】
人が泳いでいるときは、股関節における脚の内旋／外旋によって「スネーキング現象（ｓｎａｋｉｎｇ  ｅｆｆｅｃｔ）」が起こる恐れがある。ジャマー１００によってもたらされる締めつけ作用は、このスネーキング現象を減らすか又はなくして、着用者のストロークの効率を改善し、場合によっては着用者がより速く泳ぐことを可能にする。
【００８８】
本発明の実施形態は、着用者が「泳いで押しのける（ｓｗｉｍｍｉｎｇ  ｔｈｒｏｕｇｈ）」水の断面積を小さくすることによって、着用者への圧力抵抗の量を減らす。このことは、股関節における着用者の脚の内旋／外旋（すなわち、「スネーキング現象」）を制限することによって実現される。
【００８９】
第１、第２、第３、第４、第５、第６、第７、及び第８の縦方向ストラップ１０６、１０８、１１０、１１２、２０６、２０８、２１０、２１２の湾曲性質は、着用者の股関節部及び着用者の膝のすぐ上方でより大きい面積にわたり、サイドパネル３４、３８で張力を分散するように作用し、確実にジャマーが着用者の股関節部及び膝のすぐ上方にしっかりと固定され、適切にサイドパネル３４、３８に張力がかかるようにする。
【００９０】
第１、第２、第３、第４、第５、第６、第７、及び第８の縦方向ストラップ１０６、１０８、１１０、１１２、２０６、２０８、２１０、２１２、（１つ又は複数の）内側レッグストラップ１２０、臀部ストラップ１１８、ならびにクロッチストラップ１１４、１１６の張力の量を、それらを伸張させることによって増やし、そうすることで、締めつけ作用を強化することを可能にすることができる。
【００９１】
例えば、ウエストストラップ４からジャマー１００のレッグ部分の下端３１、３２それぞれまでの距離は、着用者の腸骨稜又はへそから着用者の膝のそれぞれの上端までの距離よりも小さくてよい。ジャマー１００は、着用されると、着用者の腸骨稜又はへその位置又はその上方の位置から着用者の膝のそれぞれの上端の位置又はそのすぐ上方の位置まで延びるように伸張させることができる。
【００９２】
例えば、この点について、ジャマー１００は、その元の未伸張の長さの１１０％と１３０％との間の長さまで伸張されるときに着用者の腸骨稜／へそから着用者の膝の上端まで延びるように成形することができる。一部の実施形態では、ジャマー１００は、その元の未伸張の長さの１１０％と１２０％との間の長さまで伸張されるときにこのようにフィットするように成形することができる。一部のさらなる実施形態では、ジャマー１００は、その元の未伸張の長さの実質的に１１４％まで伸張されるとこのようにフィットするように成形することができる。
【００９３】
この例では、ウエストストラップ４は、着用者のウエストの全周にわたって延びる伸縮性ウエストバンドである。ウエストストラップ４は、例えば、１００Ｎ／ｍから３０００Ｎ／ｍの範囲にある弾性係数を有することができる。一部の実施形態では、ウエストストラップ４は少なくとも３００Ｎ／ｍの弾性係数を有する。一部のさらなる実施形態では、ウエストストラップは少なくとも７００Ｎ／ｍの弾性係数を有する。他のさらなる実施形態では、ウエストストラップは少なくとも１０００Ｎ／ｍの弾性係数を有する。
【００９４】
第１、第２、第３、第４、第５、第６、第７、及び第８の縦方向ストラップ１０６、１０８、１１０、１１２、２０６、２０８、２１０、２１２、第１及び第２のクロッチストラップ１１４、１１６、臀部ストラップ１１８、（１つ又は複数の）内側レッグストラップ１２０、ならびに第１、第２、第３、第４の横方向大腿ストラップ１２４、１２６、１２８、１３０はそれぞれ、１００Ｎ／ｍから３０００Ｎ／ｍの範囲にある弾性係数を有することができる。一部の実施形態では、ストラップ１０６、１０８、１１０、１１２、１１４、１１６、１１８、１２４、１２６、１２８、１３０、２０６、２０８、２１０、２１２は、少なくとも３００Ｎ／ｍの弾性係数をそれぞれ有することができる。一部のさらなる実施形態では、ストラップ１０６、１０８、１１０、１１２、１１４、１１６、１１８、１２４、１２６、１２８、１３０、２０６、２０８、２１０、２１２は、少なくとも７００Ｎ／ｍの弾性係数をそれぞれ有することができる。
【００９５】
第１、第２、第３、第４、第５、第６、第７、及び第８の縦方向ストラップ１０６、１０８、１１０、１１２、２０６、２０８、２１０、２１２、第１及び第２のクロッチストラップ１１４、１１６、臀部ストラップ１１８、（１つ又は複数の）内側レッグストラップ１２０、ならびに第１、第２、第３、第４の横方向大腿ストラップ１２４、１２６、１２８、１３０はそれぞれ、（隣接するパネルを接合するための）２０ミリメートル以下の幅をそれぞれ有することができる。一部の実施形態では、ストラップ１０６、１０８、１１０、１１２、１１４、１１６、１１８、１２４、１２６、１２８、１３０、２０６、２０８、２１０、２１２は、１５ミリメートル以下の幅をそれぞれ有することができる。
【００９６】
ジャマー１００は、国際水泳連盟（ＦＩＮＡ：Ｆｅｄｅｒａｔｉｏｎ  Ｉｎｔｅｒｎａｔｉｏｎａｌｅ  ｄｅ  Ｎａｔａｔｉｏｎ  Ａｍａｔｅｕｒ）によって設定される規則に準拠することができる。ＦＩＮＡの規則は、水着に設けることができるシームの量に制限を設定し、水着の要素同士を接合するためにのみストラップ／テープを設けることができると述べ、このようなストラップ／テープが最大２０ミリメートルの幅を有することができると述べている。
【００９７】
上述の締めつけ作用を実現するためにストラップ１０６、１０８、１１０、１１２、１１４、１１６、１１８、１２４、１２６、１２８、１３０、２０６、２０８、２１０、２１２を適切に位置決めできるように、ジャマー１００のシェル８０のシームの配置を注意深く選択したことを当業者なら理解するであろう。
【００９８】
本発明の実施形態はジャマーに限定されないことが当業者には理解されよう。例として、第１及び第２の女性のスイムスキンに関してここで本発明の実施形態を説明する。
【００９９】
図５Ａ及び図５Ｂは、第１の女性のスイムスキンの形態の水着のシェル８１の外面の正面図及び背面図を示す。スイムスキンのシェルは、女性の上半身も覆うように成形されることを除いて、ジャマー１００のシェル８０と同様である。この点について、クロッチパネル３６の代わりに前面ボディパネル１３６を使用し、後方ボディパネル６６を追加した。第１、第２、第３、及び第４の縦方向シーム６、８、１０、１２は、着用者の腰部領域１００１、１００３を越えて着用者の脇の下の領域１００８、１００９まで延びる。
【０１００】
さらに、図示の例では、第１、第２、第３、及び第４の縦方向シーム６、８、１０、１２は、図５Ｃのシェル８１の第１のサイドパネル３４の外面の図に示すように、実質的に線形である。
【０１０１】
さらに、第１のスイムスキンのシェル８１は、横断方向に延び、後方ボディパネル６６と、第１の上側後面パネル４８及び第２の上側後面パネル５０のそれぞれとの間に境界を設ける後方ウエストシーム６４を備える。
【０１０２】
図６Ａ及び図６Ｂは、第１のスイムスキンのシェル８１の内面の正面図及び背面図を示す。図６Ａ及び図６Ｂでは、シェル８１は内面を見せるために裏返しにした。図６Ｃは第１のサイドパネル３４の内面を示す。
【０１０３】
図３Ａ及び図３Ｂは、シェル８１及び下側ボディハーネス５を含む、第１のスイムスキン２００の内面（すなわち、その裏返しの構成にある第１のスイムスキン２００）の正面図及び背面図をそれぞれ示す。この例では、下側ボディハーネス５のストラップのいくつかは、やはり着用者の上半身まで延びる。
【０１０４】
ジャマー１００に設けられた全周のウエストストラップ４の代わりに、着用者のウエストの後方で横断方向に延びる半周の第１のウエストストラップ１６４を用いたことを図７Ａ及び図７Ｂから理解することができる。第１のウエストストラップ１６４は、シェル８１の内面上で、後方ウエストシーム６４上にかつそれに沿って位置決めされ、第１の上側後面パネル４８及び第２の上側後面パネル５０のそれぞれに後方ボディパネル６６を連結する。第１のウエストストラップ１６４は、例えば、パネル４８、５０、６６に縫合、溶着、及び／又は接着することができる。
【０１０５】
図８Ａ及び図８Ｂは、第１のスイムスキン２００の外面の正面図及び背面図をそれぞれ示す。図８Ｃは第１のサイドパネル３４の外面を示す。
【０１０６】
下側ボディハーネス５はさらに、シェル８１の外面上で後方ウエストシーム６４上にかつそれに沿って位置決めされる第２のウエストストラップ２６４を備え、第１の上側後面パネル４８及び第２の上側後面パネル５０のそれぞれに後方ボディパネル６６を連結する。第２のウエストストラップ２６４は、例えば、パネル４８、５０、６６に縫合、溶着、及び／又は接着することができる。
【０１０７】
したがって、第１及び第２のウエストストラップ１６４、２６４は、後方ウエストシーム６４において、第１のスイムスキン２００のシェル８１によって隔てられる。一部の実装形態では、第１及び第２のウエストストラップ１６４、２６４は、例えば、縫合することによって、シェル８１を介して互いに取り付けることができる。
【０１０８】
第１及び第２のウエストストラップ１６４、２６４はそれぞれ、１００Ｎ／ｍから３０００Ｎ／ｍの範囲にある弾性係数を有することができる。一部の実施形態では、ストラップ１６４、２６４は、少なくとも３００Ｎ／ｍの弾性係数を有することができる。一部のさらなる実施形態では、ストラップ１６４、２６４は、少なくとも７００Ｎ／ｍの弾性係数をそれぞれ有することができる。
【０１０９】
図９Ａ〜図１２Ｂは、シェル８２を備える第２のスイムスキン３００に関する。第２のスイムスキン３００は、後方ボディパネル６６の代わりに、開口６９を含む第１及び第２の後方ボディパネル６７、６８を用いたという点で、第１のスイムスキン２００とは異なる。
【０１１０】
図９Ａ及び図９Ｂは、第２のスイムスキン３００のシェル８２の外面の正面図及び背面図を示す。図９Ｃは、第２のスイムスキン３００のシェル８２の第１のサイドパネル３４の外面を示す。
【０１１１】
図１０Ａ及び図１０Ｂは、第２のスイムスキン３００のシェル８２の内面の正面図及び背面図を示す。すなわち、第２のスイムスキン３００のシェル８２を裏返しにした。図１０Ｃは、第２のスイムスキン３００のシェル８２の第１のサイドパネル３４の内面を示す。
【０１１２】
図１１Ａ及び図１１Ｂは、第２のスイムスキン３００の内面の正面図及び背面図をそれぞれ示す。図１１Ｃは、第２のスイムスキン３００の第１のサイドパネル３４の内面を示す。
【０１１３】
図１２Ａ及び図１２Ｂは、第２のスイムスキン３００の外面の正面図及び背面図をそれぞれ示す。図１２Ｃは、第２のスイムスキン３００の第１のサイドパネル３４の外面を示す。
【０１１４】
図１３Ａ、図１３Ｂ及び図１３Ｃは、第１及び第２のレッグ部分を有するウェットスーツ４００の形態の水着の外面の正面図、背面図、及び側面図を示す。ウェットスーツ４００は、例えば、トライアスロン用ウェットスーツでよい。
【０１１５】
ウェットスーツ４００は、ウエストバンド／ウエストストラップ３６４、第１の縦方向ストラップ／パネル２０６、及び第２の縦方向ストラップ／パネル２０８を含む。ウエストストラップ３６４は、少なくとも部分的に、ウェットスーツ４００の着用者の大骨盤の腸骨稜の位置又はその上方に位置決めされる。この例では、ウェットスーツ４００の前面において、ウエストストラップ３６４は、上向きに、クロッチ領域／パネル５５０から延び、着用者のウエストの両側及び後方の周りを延びるように配置される。
【０１１６】
ウェットスーツ４００の前面では、図１３Ａに示すように、ウエストストラップ３６４は、前面ボディパネル１３６の下方、かつ第１及び第２の縦方向ストラップ２０６、２０８ならびに第１及び第２の大腿前面パネル６４０、６４２の上方に位置決めされる。
【０１１７】
ウェットスーツ４００の後方では、図１３Ｂに示すように、ウエストストラップ３６４は、複数の後面ボディパネル５０１〜５０４及びジッパー５０５の下方、かつ臀部パネル６０１の上方に位置決めされる。ジッパー５０５は、人がウェットスーツ４００に入ってそれを身に着けることを可能にするために、ウェットスーツ４００を（部分的に）開くために使用される。
【０１１８】
この例では、ウエストストラップ３６４は、前面ボディパネル１３６、クロッチパネル５５０、第１及び第２の縦方向ストラップ２０６、２０８、第１及び第２の大腿前面パネル６４０、６４２、複数の後方ボディパネル５０１〜５０４、ならびに臀部パネル６０１に直接的に取り付けられる。
【０１１９】
前の例とは異なり、この例では、ウエストストラップ３６４は１つ又は複数のシーム上に位置決めされない。この例では、ウエストストラップ３６４の周縁がウエストストラップ３６４と隣接するパネル／ストラップとの間の接合部を設け、その接合部では、ウエストストラップ３６４と隣接するパネル／ストラップとの間に少量の重なりが存在することができる。
【０１２０】
第１の縦方向ストラップ２０６は、下向きに、着用者の第１の腰部領域１００１から着用者の第１の大腿外側領域１００２まで延びる。例えば、第１の縦方向ストラップ２０６は、着用者の第１の膝の位置又はその周りに延びることができる。第２の縦方向ストラップ２０８は、下向きに、着用者の第２の腰部領域１００３から着用者の第２の大腿外側領域１００４まで延びる。例えば、第２の縦方向ストラップ２０８は、着用者の第２の膝の位置又はその周りに延びることができる。
【０１２１】
この例では、第１の縦方向ストラップ２０６は、ウエストストラップ３６４だけでなく、第１の大腿前面パネル６４０及び少なくとも１つの大腿後面／レッグパネル６０２、６０３にも取り付けられる。前の例とは異なり、この例では、第１の縦方向ストラップ２０６は１つ又は複数のシーム上に位置決めされない。第１の縦方向ストラップ２０６の周縁は、隣接するパネル／ストラップ間の接合部を設け、その接合部では、第１の縦方向ストラップ２０６と隣接するパネル／ストラップとの間の少量の重なりが存在することができる。
【０１２２】
第２の縦方向ストラップ２０８は、ウエストストラップ３６４だけでなく、第２の大腿前面パネル６４２及び少なくとも１つの大腿後面／レッグパネル６０４、６０５にも取り付けられる。上記の例とは異なり、この例では、第２の縦方向ストラップ２０８は１つ又は複数のシーム上に位置決めされない。第２の縦方向ストラップ２０８の周縁は、隣接するパネル／ストラップ間の接合部を設け、その接合部では、第２の縦方向ストラップ２０８と隣接するパネル／ストラップとの間の少量の重なりが存在することができる。
【０１２３】
ウエストストラップ３６４、第１の縦方向ストラップ２０６、及び第２の縦方向ストラップ２０８はそれぞれ、隣接するパネル１３６、５５０、６０１〜６０５、６４０、６４２よりも高い弾性係数を有する。すなわち、ウエストストラップ３６４、第１の縦方向ストラップ２０６、及び第２の縦方向ストラップ２０８はそれぞれ、隣接するパネル１３６、５５０、６０１〜６０５、６４０、６４２よりも剛性が高い／可撓性が低い。ウエストストラップ３６４、第１の縦方向ストラップ２０６、及び第２の縦方向ストラップ２０８は、ウェットスーツ４００のパネルを形成するために使用される他のどの材料よりも剛性が高く／可撓性が低くてよい。
【０１２４】
一部の実施形態では、ウエストストラップ３６４、第１の縦方向ストラップ２０６、及び第２の縦方向ストラップ２０８のそれぞれの弾性係数は、例えば、隣接するパネル１３６、５５０、６０１〜６０５、６４０、６４２などウェットスーツ４００の他のパネルの弾性係数よりも１０〜４０％大きくすることもできる。
【０１２５】
例えば、ウエストストラップ３６４、第１の縦方向ストラップ２０６、及び第２の縦方向ストラップ２０８、ならびに隣接するパネル１３６、５５０、６０１〜６０５、６４０、６４２は（ウェットスーツ４００の他のパネルと一緒に）ネオプレンから作製することができるが、ウエストストラップ３６４、第１の縦方向ストラップ２０６、及び第２の縦方向ストラップ２０８は、隣接するパネル１３６、５５０、６０１〜６０５、６４０、６４２とは異なる（より剛性の高い／より可撓性の低い）ネオプレンから作製することができる。
【０１２６】
例えば、ウエストストラップ３６４、第１の縦方向ストラップ２０６、及び第２の縦方向ストラップ２０８は、石油／オイルベースのネオプレンから作製することができ、隣接するパネル１３６、５５０、６０１〜６０５、６４０、６４２（及びウェットスーツ４００の他のパネル）は、石灰岩ベースのネオプレンから作製することができる。
【０１２７】
ウエストストラップ３６４は、着用者の腸骨稜の位置又はその上方で張力を与える手段であると解釈することができる。ジッパー５０５は（場合によってはウェットスーツ４００の背面パネル５０１〜５０４のいくつかと一緒に）、着用者の腸骨稜の位置又はその上方の張力を与える手段であると解釈することもできる。ジッパー５０５の代わりに（細長い）背面ファスナーの別の形態を他の例で使用することもできる。
【０１２８】
ウエストストラップ３６４、第１の縦方向ストラップ２０６、及び第２の縦方向ストラップ２０８はそれぞれ、補強部材として作用する。第１及び第２の縦方向ストラップ２０６、２０８は、事実上、着用者の脚の側面を下に延びるように配置された細長い補強部材である。
【０１２９】
ウエストストラップ３６４、第１の縦方向ストラップ２０６、及び第２の縦方向ストラップ２０８は一緒になって、股関節における脚の内旋／外旋によって起こることがあるスネーキング現象を減らすか又はなくして着用者のストロークの効率を改善し、場合によっては着用者がより速く泳ぐことを可能にするという点で、ジャマー１００及びスイムスキン２００、３００に関して上述したのと同様の作用をもたらす。
【０１３０】
参照番号６４０、６４２、６０３及び６０５で示されるようなウェットスーツ４００のレッグ部分内のレッグパネルは、着用者の脚のうちの膝のすぐ上方の領域を把持することによって、上述の第１及び第２のグリッパーストラップ６０ａ、６０ｂの機能性を実行することができる。このことを考えると、シリコーンから作製される別々のグリッパーストラップ６０ａ、６０ｂはこの例では必要ない。
【０１３１】
様々な例を参照しながら先行する段落で本発明の実施形態を説明してきたが、特許請求される本発明の範囲から逸脱することなく所与の各例に対する改変を行うことができることを理解されたい。例えば、添付の図面には示していない水着の他の要素に本発明の実施形態を応用できることが当業者には理解されよう。限定されるものではないが、このような水着には、男性のスイムスキン、着用者の膝の下方まで延びる水着、ウェットスーツなどが含まれる。このようなウェットスーツのシェルは、例えば、ネオプレンなど、空気及び水を透過しない材料から作製することができる。
【０１３２】
ウェットスーツでは、着用者の腸骨稜の位置又はその上方に与えられる張力は、ウエストストラップ又は引きひもによって与える必要はない。その代わりに、上記で説明したように、ジッパーの両側の側方部分を一緒に引っ張って張力を生み出すように配置された、ウェットスーツのシェルの実質的に垂直のジッパーによって与えることもできる。
【０１３３】
水着１００、２００、３００のシェル８０、８１、８２の内側上にあるものとして上述したどのストラップも、内側ではなくシェル８０、８１、８２の外面上にあってもよく、その逆も同様であることも当業者には理解されよう。さらに、ストラップは、前述のシームのいずれかに沿ってシェル８０、８１、８２の内面にもシェル８０、８１、８２の外面にも設けることもできる。
【０１３４】
先行する記載で説明した特徴は、明示的に記載した組み合わせ以外の組み合わせで使用することができる。
【０１３５】
いくつかの特徴を参照しながら各機能を記載してきたが、それら機能は、記載したか否かにかかわらず他の特徴によって実行可能とすることができる。
【０１３６】
いくつかの実施形態を参照しながら各特徴を記載してきたが、それら特徴は、記載したか否かにかかわらず他の実施形態に存在することもできる。
【０１３７】
先述の明細書では特に重要であると考えられる、本発明のそれら特徴に注目を促すように努力しているが、それらを特に強調してきたか否かにかかわらず、本明細書で上記に図面に関連した及び／又は図面に示した特許性のある特徴又は特徴の組み合わせに関して本出願人が保護を主張することを理解されたい。